(57)【特許請求の範囲】
【請求項１】
記録装置と、記録紙を搬送するための駆動系を具備するオプション装置とを有する画像処理システムにおいて、
前記記録装置は、
記録紙に画像を記録する記録手段と、
当該記録装置が消費電力を低減したスリープ状態にある場合、前記オプション装置に対してスリープ状態である旨を示す信号を出力する通知手段とを有し、
前記通知手段からの信号を出力するための信号ライン及び制御系直流電源を送出するための直流電源ラインを含む信号線を介して前記オプション装置に接続され、
前記オプション装置は、
前記記録装置とは独立して交流電源を入力するためのＡＣ入力部と、
前記ＡＣ入力部から入力される交流電源から、前記記録紙を搬送するための駆動系を付勢する直流電源を発生する電源回路と、
前記記録装置の前記通知手段から出力される信号がスリープ状態であるときに、前記オプション装置の前記電源回路を非作動状態にするオプション電源制御手段とを有し、
前記オプション電源制御手段は、前記記録装置から直流電源ラインを介する直流電源の供給を受けることにより、前記電源回路を非作動状態にした後も動作できるようにしたことを特徴とする画像処理システム。
【請求項２】
前記通知手段は、ウオッチドッグ信号またはシリアル通信用クロック信号の周波数を変更することにより、前記オプション装置に対して前記記録装置がスリープ状態であることを通知することを特徴とする請求項１記載の画像処理システム。
【請求項３】
前記オプション装置は、給紙ユニットまたは両面ユニットであることを特徴とする請求項１または請求項２に記載の画像処理システム。
【請求項４】
記録装置と、前記記録装置とは独立して交流電源を入力するためのＡＣ入力部、及び前記交流電源から記録紙を搬送するための駆動系を付勢する直流電源を発生する電源回路を具備するオプション装置とを有する画像処理システムに用いられる記録装置であって、
記録紙に画像を記録する記録手段と、
当該記録装置が消費電力を低減したスリープ状態にある場合に、前記オプション装置の前記電源回路を非作動状態にさせるべく、前記オプション装置に対して当該記録装置がスリープ状態である旨を示す信号を出力する通知手段とを有し、
前記通知手段からの信号を出力するための信号ライン及び制御系直流電源を送出するための直流電源ラインを含む信号線を介して前記オプション装置に接続されるとともに、前記通知手段は、ウオッチドッグ信号またはシリアル通通信用クロック信号の周波数を変更することによりオプション装置に対して前記記録装置がスリープ状態であることを通知することを特徴とする記録装置。
【請求項５】
記録紙を搬送するための駆動系を具備するオプション装置と、消費電力を低減したスリープ状態にある場合、前記オプション装置に対してスリープ状態である旨を示す信号を出力する通知手段を備え、前記通知手段からの信号を出力するための信号ライン及び制御系直流電源を送出するための直流電源ラインを含む信号線を介して前記オプション装置に接続される記録装置とを有する画像処理システムに用いられるオプション装置であって、
前記記録装置とは独立して交流電源を入力するためのＡＣ入力部と、
前記ＡＣ入力部から入力された交流電源から、前記記録紙を搬送するための駆動系を付勢する直流電源を発生する電源回路と、
前記記録装置の前記通知手段からの信号に基づいて、前記記録装置がスリープ状態であるときに、前記オプション装置の前記電源回路を非作動状態にするオプション電源制御手段とを有し、
前記オプション電源制御手段は、前記記録装置から直流電源ラインを介する直流電源の供給を受けることにより、前記電源回路を非作動状態にした後も動作できるようにしたことを特徴とするオプション装置。
【請求項６】
前記通知手段は、オプション装置に対してウオッチドッグ信号またはシリアル通通信用クロック信号の周波数を変更することにより通知するとともに、前記オプション電源制御手段は、ウオッチドッグ信号またはシリアル通通信用クロック信号の周波数変化状態をモニタして前記電源回路を非作動状態にすることを特徴とする請求項５記載のオプション装置。
【請求項７】
当該オプション装置は、給紙ユニットまたは両面ユニットであることを特徴とする請求項５または請求項６に記載のオプション装置。
【発明の詳細な説明】
【０００１】
【発明の属する技術分野】
本発明は、記録装置と、記録紙を搬送するための駆動系を具備するオプション装置とを有する画像処理システム、およびそのような画像処理システムに用いられる記録装置およびオプション装置に関するものである。
【０００２】
【従来の技術】
図３は、この種の画像処理システムの概略構成を説明する断面図であり、記録装置５０１，両面ユニット５０２，給紙ユニット５０３等から構成されている。なお、両面ユニット５０２，給紙ユニット５０３は記録装置５０１に対してオプション装置として接続され、各オプション装置は記録装置５０１と通信可能に構成されている。以下、構成および動作について説明する。
【０００３】
なお、記録装置５０１は、図示しない例えばホストコンピュータに接続され、ホストからの指示に基づき記録紙に所望の画像を記録するものである。記録指示を与えられた記録装置５０１は、給紙ユニット５０３に対し、給紙コマンドを発行する。給紙ユニット５０３内のＣＰＵは、記録紙５０４が積載されていることを確認し給紙ユニット内にある図示しないモータを駆動し、給紙ローラ５０６、搬送ローラＥ５０７を駆動し、記録紙を記録装置５０１へと給紙、搬送させる。
【０００４】
ここで、両面ユニット５０２内の搬送ローラＣ５０９は給紙ユニット５０３の紙搬送パスである紙パスＡ５０８に接続されているため記録装置は両面ユニット５０２に対しても搬送ローラＣ５０９を駆動させるコマンドを出す必要がある。記録装置５０１内へ給紙された記録紙は搬送ローラＤ５１１によって紙パスＢ５１０を通り、レジストセンサ５１２へ達する。記録装置５０１の制御プログラムはここで一旦搬送を停止させ、所望の画像を形成すべく動作準備、たとえば画像パターン生成時間ウエイトする。そして、準備完了後、記録紙を搬送させ、画像記録ユニット５１３によって、電子写真プロセスによって感光ドラムに潜像を形成し、トナーを記録紙上に付着させる。トナーを付着させた記録紙はさらに搬送され、定着ユニット５１４によって、熱圧力により融着され画像記録が終了する。
【０００５】
この時、記録装置５０１がホストの指示により両面記録を指示された場合は、記録装置５０１は両面ユニット５０２に対し、反転コマンドを送出する。反転コマンドを受けた両面ユニット５０２は反転ローラ５１８、反転フラップ５１６を駆動し、記録紙を両面ユニット５０２内へ搬送させる。
【０００６】
一方、紙パスＤ５１７に搬送された記録紙の後端が反転センサ５１９を通過したのを検出した後、両面ユニット制御プログラムは、反転ローラ５１８を逆回転させ、搬送ローラＡ５２０、搬送ローラＢ５２２を駆動し、両面給紙センサ５２３まで搬送し反転動作を終了する。そして、両面給紙センサ５２３まで記録紙が到達すると一旦、搬送を停止し、記録装置５０１から給紙指示を待つ。記録装置から給紙指示を受けると前述したシーケンスと同様に、画像形成スピードで搬送した記録紙に対し片方の面に対し画像記録動作を実施し、両面記録を行なう。両面記録された記録紙は、紙パスＣ５１５を通り排紙される。
【０００７】
以上、両面記録に関して述べたが、片面のみの場合は、反転フラップ５１６を操作せず紙パスＣ５１５より排紙される。
【０００８】
このように記録装置５０１は、給紙ユニット５０３および両面ユニット５０２に対し制御コマンドを発行し、コントロールしながら所望の画像を記録させている。なお、５０５は紙有無センサ、５２１は紙パスＥである。
【０００９】
次に、図４，図５を参照して図３に示した両面ユニット５０２の制御構成および制御手順について説明する。
【００１０】
図４は、図３に示した両面ユニット５０２の制御構成を説明するブロック図である。
【００１１】
図４において、６０２はＣＰＵで、図示しないＲＯＭに記憶された後述する制御手順に従って両面ユニット６０１の駆動を制御する。
【００１２】
６０３は制御バスで、記録装置５０１とバス接続可能に構成されている。６０５は両面給紙センサで、図３に示した両面給紙センサ５２３に対応し、両面ユニット５０２の再給紙位置での紙有無を検知する。６０６は反転センサで、図３に示した反転センサ５１９に対応し、片面への画像記録が終了した用紙の後端を検知する。なお、６０７は開閉カバー検知センサである。
【００１３】
６１１はドライバで、モータ６１４（モータＡ）を駆動する。６１２はドライバで、モータＢ６１５（モータＢ）を駆動する。６１３はドライバで、モータＣ６１６（モータＣ）を駆動する。６１７はドライバで、反転フラッパ５１６を駆動する。６１９はＡＣ入力部で、電源回路６２０に対して商用電源を供給する。電源回路６２０は＋５Ｖおよび＋２４ＶをＡＣより生成し、＋５Ｖ電源は各センサに供給され、＋２４Ｖ電源は各モータドライバ６１１〜６１３およびソレノイドドライバ６１７に供給される。なお、ＣＰＵ電源である＋５Ｖは記録装置より供給される。なお、６１８はソレノイドである。
【００１４】
図５は、図３に示した両面ユニット５０２の給送制御手順の一例を示すフローチャートである。なお、（１）〜（１９）は各ステップを示す。
【００１５】
先ず、ステップ（１）でモータＡ〜Ｃの出力をゼロ設定する停止シーケンスを行ない、ステップ（２）にて記録装置とオプション装置間の動作認識を行なうべくウオッチドック処理を行なう。
【００１６】
なお、ウオッチドック処理は記録装置５０１から定期的に送付されるウオッチドック入力信号に対し、それに同期したウオッチドック出力信号を記録装置５０１に対し返送するものである。これによって、記録装置５０１はオプション装置（この場合には両面ユニット５０２）が正常動作つまりコマンド入力可能状態にあることを認識できる。そして、ステップ（３）にて記録装置５０１からのコマンドを入力する。
【００１７】
一方、ステップ（４）で記録紙の反転指示有無を判定し、反転指示がなされていると判定した場合、つまり両面記録動作指示があった場合は、ステップ（５）にてモータＡ６１４をＣＷ回転させる。つまり、図３に示した反転ローラ５１８はＣＷ回転する。
【００１８】
次いで、ステップ（６）でソレノイドをＯＮすることによって、反転フラッパ５１６がコントロールされ両面ユニット５０２内へ記録紙が搬送される。ステップ（７），ステップ（８）にて反転センサ５１９が記録紙後端を検出すると、ステップ（９）でソレノイドをＯＦＦつまり反転フラッパ５１６を紙パスＣ５１５側へ向ける。そして、ステップ（１０）で、モータＡ６１４のＣＣＷ回転により反転ローラ５１８がＣＣＷ回転、ステップ（１１）で、モータＢ６１５のＣＣＷ回転により搬送ローラＡ５２０および搬送ローラＢ５２２がＣＣＷ回転する。
【００１９】
次いで、ステップ（１２）で、両面給紙センサ５２３に記録紙が到達することを確認後、ステップ（１３），ステップ（１４）でモータＡ６１４，Ｂ６１５を停止、つまり搬送を停止し、ステップ（２）に戻り、記録装置からの給紙指示を待つ。
【００２０】
一方、ステップ（４）で反転指示でない場合には、ステップ（１５）で給紙コマンドを認識すると、ステップ（１６）でモータＢ６１５を、ステップ（１７）でモータＣ６１６をＣＣＷ回転する。つまり、搬送ローラＣ５０９、搬送ローラＢ５２２がＣＣＷ回転され記録紙は記録装置内へ搬送される。
【００２１】
一方、ステップ（１５）で給紙指示でないと判断された場合には、ステップ（１８）にて搬送指示を受けると、ステップ（１９）にてモータＣ６１６をＣＣＷ回転させる。つまり搬送ローラＣ５０９のみがＣＣＷ駆動される。
【００２２】
一方、ステップ（１９）で搬送指示でもないと判定された場合には、ステップ（１）に戻る。
【００２３】
なお、給紙指示及び搬送指示は給紙ユニット５０３からの給紙、搬送シーケンス時に適用されるコマンドで指示される。
【００２４】
次に、図６，図７等を参照して給紙ユニット５０３の制御構成及び制御手順について説明する。
【００２５】
図６は、図３に示した給紙ユニット５０３の制御構成を説明するブロック図である。
【００２６】
図６において、７０２はＣＰＵで、図示しないＲＯＭに記憶された制御プログラムに基づいて後述する手順に従って記録紙５０４の給送を記録紙装置５０１からの指示に応じて制御する。７０３はモータドライバで、モータ７０４を駆動する。なお、７０１は給紙ユニットである。
【００２７】
７０５はソレノイドドライバで、給紙ローラ５０６を駆動するためのソレノイド７０６を駆動する。７０７は紙サイズ検知センサで、給紙ユニット５０３にセットされる記録紙の紙サイズを検知する。７０８は紙有無センサで、図３に示した紙有無センサ５０５に対応し、記録紙５０４の有無を検知する。７１０は制御バスで、記録装置５０１とバス接続されている。
【００２８】
７０９はＡＣ入力部で、電源回路７１１に商用電源を供給し、＋５Ｖおよび＋２４Ｖを生成し、＋５Ｖは各センサに供給され、＋２４Ｖはモータドライバ７０３およびソレノイドドライバ７０５へ供給される。なお、ＣＰＵ電源＋５Ｖは記録装置５０１より供給される。
【００２９】
図７は、図３に示した給紙ユニット５０３の給送制御手順の一例を示すフローチャートである。なお、（１）〜（１０）は各ステップを示す。
【００３０】
ステップ（１）でモータを停止すべく制御を行ない、ステップ（２）にて両面ユニットと同様のウオッチドック処理を行なう。
【００３１】
次に、ステップ（３）で記録装置からコマンドを受け、ステップ（４）にてそれが給紙指示と判断された場合は、ステップ（５）で紙有無センサ情報を読み、紙無しと判定された場合は、ステップ（８）で紙無しステータスを記録装置５０１へ送信する。該紙無しステータスを記録装置５０１が受信すると、図示しない操作部の表示手段に対し紙無し情報を表示する。
【００３２】
一方、ステップ（５）で、紙有りと判断された場合は、ステップ（６）でモータ  ７０４をＣＣＷ回転すべく制御を行なう。つまり、図６に示したモータ７０４がＣＣＷ回転することによって、図３に示した搬送ローラＥ５０７はＣＣＷ回転する。
【００３３】
次に、ステップ（７）にて、ソレノイド７０６を駆動すると、図示しないクラッチによって、図３に示した給紙ローラ５０６が一回転する。すると積載された記録紙の最上位のものが給紙され、予め回転している搬送ローラＥ５０７によって記録装置５０１へと搬送される。
【００３４】
一方、ステップ（４）で給紙指示でないと判断された場合には、ステップ（９）にて、コマンドが搬送指示コマンドかどうかを判断し（９）、ＮＯならばステップ（１）に戻り、ＹＥＳの場合には、ステップ（１０）でモータ７０４のみをＣＣＷ回転して、ステップ（２）に戻る。つまり、搬送ローラＥ５０７のみをＣＣＷ回転させる。なお、ステップ（９）の搬送指示は、給紙された記録紙が記録装置内のレジストセンサ５１２で一旦停止された後の再搬送用コマンドである。
【００３５】
以上、説明したように記録装置５０１はホストコンピュータからの指示に基づき所望の画像を記録紙に記録すべく動作を行なう。このとき両面記録または片面記録制御に基づき両面ユニットおよび給紙ユニットに対し制御コマンドを発行し駆動するものでる。
【００３６】
次に、図３に示した記録装置５０１と各オプション装置との間のウオッチドック信号について図８に示すタイミングチャートを参照して説明する。
【００３７】
図８は、図３に示した記録装置５０１と両面ユニット５０２，給紙ユニット５０３との間のウオッチドック信号状態を示すタイミングチャートである。
【００３８】
図において、１００１は記録装置からオプションに対して送付されるウオッチドック入力信号であり、１００２はオプションから記録装置に対して送付されるウオッチドック出力信号でありいずれも記録装置との制御バスに割り当てられる。
【００３９】
この図に示すように、記録装置５０１はオプション装置に対して定期的にウオッチドック入力信号を送出する。
【００４０】
これを受けて、オプション装置にウオッチドック入力信号１００１が入力されると、各ＣＰＵ６０２，７０２は、その信号に同期してウオッチドック出力信号１００２を作成し、記録装置５０１へ送出する。
【００４１】
この制御処理によって、記録装置５０１はオプションが正常状態つまりコマンド入力可能状態にあることを認識できる。また、オプション装置は記録装置５０１が正常状態、つまりコマンド送信可能状態にあることを認識できる。
【００４２】
【発明が解決しようとする課題】
従来の記録装置は、上記のように構成されているので、所定時間経過してもホストからのアクセスがない場合は、通常、記録装置５０１はスリープモードとなり、定着器の温調制御等を停止させ消費電力を低減する制御が一般的に実施されている。
【００４３】
しかしながら、従来のように比較的消費電力の少ないオプション装置に対してはスリープモードによる消費電力制御は実行されていなかった。
【００４４】
しかし、記録装置５０１とは独立した駆動源を有するオプション装置が複数接続するシステム構成においては、オプション装置を含めたシステムとしてのトータル消費電力が大きくなり、オプション装置に対してもスリーモード制御を実施する必要がある。
【００４５】
また、スリープモードを実現するためには記録装置からオプションに対してのスリープモード認識信号が必要となり、信号線の追加等コストアップするといった課題があった。
【００４６】
本発明は、上記の課題を解決するためになされたもので、本発明の目的は、記録装置と、記録紙を搬送するための駆動系を具備するオプション装置とを有する画像処理システムにおいて、記録装置がスリープ状態に遷移することに追従させて、独立したＡＣ入力部を備えるオプション装置の駆動系への直流電源供給を行う電源回路を非作動状態に遷移させて画像形成システム全体の電力を節減できる仕組みを提供することである。
【００４７】
【課題を解決するための手段】
本発明に係る画像処理システムは、以下の特徴的構成を備える。
記録装置と、記録紙を搬送するための駆動系を具備するオプション装置とを有する画像処理システムにおいて、前記記録装置は、記録紙に画像を記録する記録手段と、当該記録装置が消費電力を低減したスリープ状態にある場合、前記オプション装置に対してスリープ状態である旨を示す信号を出力する通知手段とを有し、前記通知手段からの信号を出力するための信号ライン及び制御系直流電源を送出するための直流電源ラインを含む信号線を介して前記オプション装置に接続され、前記オプション装置は、前記記録装置とは独立して交流電源を入力するためのＡＣ入力部と、前記ＡＣ入力部から入力される交流電源から、前記記録紙を搬送するための駆動系を付勢する直流電源を発生する電源回路と、前記記録装置の前記通知手段から出力される信号がスリープ状態であるときに、前記オプション装置の前記電源回路を非作動状態にするオプション電源制御手段とを有し、前記オプション電源制御手段は、前記記録装置から直流電源ラインを介する直流電源の供給を受けることにより、前記電源回路を非作動状態にした後も動作できるようにしたことを特徴とする。
【００４８】
本発明に係る記録装置は、以下の特徴的構成を備える。
記録装置と、前記記録装置とは独立して交流電源を入力するためのＡＣ入力部、及び前記交流電源から記録紙を搬送するための駆動系を付勢する直流電源を発生する電源回路を具備するオプション装置とを有する画像処理システムに用いられる記録装置であって、記録紙に画像を記録する記録手段と、当該記録装置が消費電力を低減したスリープ状態にある場合に、前記オプション装置の前記電源回路を非作動状態にさせるべく、前記オプション装置に対して当該記録装置がスリープ状態である旨を示す信号を出力する通知手段とを有し、前記通知手段からの信号を出力するための信号ライン及び制御系直流電源を送出するための直流電源ラインを含む信号線を介して前記オプション装置に接続されるとともに、前記通知手段は、ウオッチドッグ信号またはシリアル通通信用クロック信号の周波数を変更することによりオプション装置に対して前記記録装置がスリープ状態であることを通知することを特徴とする。
【００４９】
本発明に係るオプション装置は、以下の特徴的構成を備える。
記録紙を搬送するための駆動系を具備するオプション装置と、消費電力を低減したスリープ状態にある場合、前記オプション装置に対してスリープ状態である旨を示す信号を出力する通知手段を備え、前記通知手段からの信号を出力するための信号ライン及び制御系直流電源を送出するための直流電源ラインを含む信号線を介して前記オプション装置に接続される記録装置とを有する画像処理システムに用いられるオプション装置であって、前記記録装置とは独立して交流電源を入力するためのＡＣ入力部と、前記ＡＣ入力部から入力された交流電源から、前記記録紙を搬送するための駆動系を付勢する直流電源を発生する電源回路と、前記記録装置の前記通知手段からの信号に基づいて、前記記録装置がスリープ状態であるときに、前記オプション装置の前記電源回路を非作動状態にするオプション電源制御手段とを有し、前記オプション電源制御手段は、前記記録装置から直流電源ラインを介する直流電源の供給を受けることにより、前記電源回路を非作動状態にした後も動作できるようにしたことを特徴とする。
【００６３】
【実施例】
〔第１実施例〕
図１は本発明の一実施例を示す画像処理システムの制御構成を説明するブロック図である。
【００６４】
なお、本実施例における画像処理システムは、記録装置５０１および該記録装置に対して所定の拡張処理を行うオプション装置、例えば給紙ユニット，両面ユニット等から構成されているものとする。
【００６５】
図において、１００はオプション装置で、例えば図５に示した両面ユニット６０１に対応する。１０１は電源遮断信号で、ＣＰＵ１１８から出力される。１０２は電源回路で、リレー１０３，二次側電源生成回路１０４を備えており、二次側電源生成回路１０４は、＋５Ｖ、＋２４Ｖを生成する。記録装置５０１は制御バス１０５を用いてオプション装置に対し動作コマンドを発行する。
【００６６】
また、制御バス１０５にはウオッチドック信号が備えられており、記録装置５０１およびオプション装置１００とが互いに正常動作確認を行なう。
【００６７】
一方、１０６〜１０８は駆動モータで、モータドライバ回路１０９〜１１１により駆動される。なお、モータドライバ回路１０９〜１１１には、電源回路１０２によって生成された＋２４Ｖが供給される。また、１１３はソレノイドで、ドライバ回路１１４により駆動される。ドライバ回路１１４は、上記同様に電源回路１０２によって生成された＋２４Ｖが供給されている。
【００６８】
１１５〜１１７はセンサであり、電源回路１０２によって生成された＋５Ｖが供給される。１１８はオプション制御ＣＰＵであり、図示しないＲＯＭに記憶された制御プログラムに従って両面ユニットによる記録紙の搬送を制御する。１１９はＡＣ入力部で、記録装置５０１とは独立した電源が供給される。
【００６９】
この様に構成されたオプション装置１００において、記録装置５０１がスリープモード状態となると、記録装置５０１は記録装置５０１から送信されるウオッチドック入力信号を通常の動作確認に使用する周波数Ｆ１とは異なる周波数Ｆ２に変化させる。
【００７０】
一方、オプション装置１００のＣＰＵ１１８はウオッチドック入力信号の周波数をモニタし、周波数Ｆ１のときは電源遮断信号１０１をアクティブにし、周波数Ｆ２のときは電源遮断信号１０１をネガティブとするように制御する。
【００７１】
これによって、記録装置５０１が正常動作状態では電源遮断信号１０１がアクティブとなり、リレー１０３がＯＮされ電源回路１０２の＋５Ｖ、＋２４Ｖが立ち上がる。
【００７２】
また、記録装置５０１がスリープ状態では電源遮断信号１０１がネガティブとなり、リレー１０３がＯＦＦされ電源回路１０２の＋５Ｖ、＋２４Ｖが遮断される。
【００８０】
図２は、図１に示した記録装置５０１とオプション装置１００とのウオッチドック信号を示すタイミングチャートである。
【００８１】
図において、２０１は記録装置５０１が正常状態にあるときに記録装置からオプションに対し出力されるウオッチドック入力信号、２０２は前記ウオッチドック入力信号２０１の応答信号でありオプション装置１００から記録装置５０１に対し送信するウオッチドック出力信号、２０３は記録装置５０１がスリープ状態にあるときに記録装置５０１からオプション装置１００に対し出力されるウオッチドック入力信号である。
【００８２】
この図に示すように、記録装置５０１が正常状態とスリープ状態とによってウオッチドック信号周波数を変化させ制御する。
【００８３】
以上説明したように、本実施例は記録装置５０１とオプション装置１００との間で互いの動作状態を認識するために用いる信号であり、記録装置５０１から出力されるウオッチドック入力信号の周波数を周波数Ｆ１から周波数Ｆ２に変化させることによって、オプション装置１００は記録装置５０１がスリ−プ状態にあることを認識し、スリープ状態にある場合はオプション装置１００の電源の遮断を行なって駆動系供給電源を遮断させるものである。
【００８９】
〔第２実施例〕
第１実施例では、スリープモード認識をウオッチドック信号の周波数を変調して通常動作時の周波数とスリープモード時の周波数とを判別する場合について説明したが、本実施例は記録装置とオプション装置間でシリアル通信を用いて構成される系において、シリアル通信の通信周波数を変調し、通常動作時の転送周波数とスリープモード時の転送周波数を区別させるように構成してもよい。特に、スリープモード時は転送周波数を遅らせることで通常使用時の転送ディレイについても問題はなくなる。
【００９０】
このように本実施例は、記録装置５０１と図示しないオプション装置間でシリアル通信構成をとる系において、特に転送周波数が可変制御可能な系において有効に適用可能となる。
【００９１】
以下、本実施例と第４，第６の発明の各手段との対応及びその作用について図１を参照して説明する。
【００９２】
第４の発明は、前記認識手段（オプション制御ＣＰＵ１１８）は、前記記録装置から所定の通信ライン（制御バス１０５）を介して出力される制御信号の周波数変化状態をモニタして前記記録装置が本体の所定の駆動系電源を遮断してスリープ状態に遷移したかどうかを認識して、記録装置本体がスリープ状態に遷移したかどうかを容易に識別可能とする。
【００９３】
第６の発明は、前記認識手段（オプション制御ＣＰＵ１１８）は、前記記録装置から所定の通信ライン（制御バス１０５）を介して出力される前記記録装置と前記オプション装置とのシリアルデータ通信時におけるデータ転送クロック信号の周波数変化状態をモニタして前記記録装置が本体の所定の駆動系電源を遮断してスリープ状態に遷移したかどうかを認識して、記録装置本体がスリープ状態に遷移したかどうかを容易に識別可能とする。
【００９４】
なお、本発明は、複数の機器から構成されるシステムに適用しても、１つの機器からなる装置に適用してもよい。また、本発明は、システムあるいは装置にプログラムを供給することによって達成される場合にも適用できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【００９５】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【００９６】
【発明の効果】
以上説明したように、本発明によれば、記録装置と、記録紙を搬送するための駆動系を具備するオプション装置とを有する画像処理システムにおいて、記録装置がスリープ状態に遷移することに追従させて、独立したＡＣ入力部を備えるオプション装置の駆動系への直流電源供給を行う電源回路を非作動状態に遷移させて画像形成システム全体の電力を節減できる。
【図面の簡単な説明】
【図１】  本発明の一実施例を示す画像処理システムの制御構成を説明する断面図である。
【図２】  図１に示した記録装置とオプション装置とのウオッチドック信号を示すタイミングチャートである。
【図３】  この種の画像処理システムの概略構成を説明する断面図である。
【図４】  図３に示した両面ユニットの制御構成を説明するブロック図である。
【図５】  図３に示した両面ユニットの給送制御手順の一例を示すフローチャートである。
【図６】  図３に示した給紙ユニットの制御構成を説明するブロック図である。
【図７】  図３に示した給紙ユニットの給送制御手順の一例を示すフローチャートである。
【図８】  図３に示した記録装置と両面ユニッ，給紙ユニットとの間のウオッチドック信号状態を示すタイミングチャートである。
【図１】
0003869871.tif 000002
【図２】
0003869871.tif 000003
【図３】
0003869871.tif 000004
【図４】
0003869871.tif 000005
【図５】
0003869871.tif 000006
【図６】
0003869871.tif 000007
【図７】
0003869871.tif 000008
【図８】
0003869871.tif 000009